(57)【要約】      （修正有）【課題】視野角補正を簡易に行うことのできる浴室用液晶テレビ装置を提供する。【解決手段】リモコンから照射される赤外線を受光する受光部は正面からの赤外線を受光する受光素子と、下方から斜め方向に照射された赤外線を受光する受光素子と、上方から斜めに照射された赤外線を受光する受光部とを備え、各受光部での赤外線の受光状況から上記液晶表示部に対するリモコンの上下方向の相対位置を求め、その求められた相対位置に応じて液晶表示部の視野角補正を行う。【選択図】図３
2014093708.tif 000002
【特許請求の範囲】
【請求項１】
液晶表示部を備え、浴室の壁面に固定される浴室用液晶テレビであって、赤外線式のリモコンから照射される赤外線を受光する受光部を有するものにおいて、この受光部は正面からの赤外線を受光する受光素子と、下方から斜め方向に照射された赤外線を受光する受光素子と、上方から斜めに照射された赤外線を受光する受光部とを備え、各受光部での赤外線の受光状況から上記液晶表示部に対するリモコンの上下方向の相対位置を求め、その求められた相対位置に応じて液晶表示部の視野角補正を行うことを特徴とする浴室用液晶テレビ装置。
【請求項２】
上記リモコンには、制御に関係ない信号が重畳された赤外線を照射するボタンが視野角補正専用のボタンとして設けられていることを特徴とする請求項１に記載の浴室用液晶テレビ装置。
【発明の詳細な説明】
【技術分野】
【０００１】
本発明は、浴室の壁面に固定して使用される浴室用液晶テレビ装置に関する。
【背景技術】
【０００２】
浴室内で入浴中などにテレビ鑑賞をしたいというニーズは以前からあり、ブラウン管式のテレビ装置の時代から浴室でテレビ画像を鑑賞する浴室用テレビ装置が多数発明されてきた。近年ではブラウン管に変わって液晶表示ユニットが用いられ、テレビ装置のハウジング自体が防水構造となり、浴室の壁面に直接取り付けることができるようになった。
【０００３】
但し、液晶表示ユニットはその構造上、視野角に制限が生じてしまう。液晶表示ユニットを正面から鑑賞する場合には問題は生じないが、上下方向の一方から斜めに鑑賞する場合には画面が全体に白くなり、逆方向である他方から斜めに鑑賞すると逆に画面が黒くなるという特性がある（例えば、特許文献１参照）。
【先行技術文献】
【特許文献】
【０００４】
【特許文献１】特開２００８−２８１６２２号公報（段落０００５）
【発明の概要】
【発明が解決しようとする課題】
【０００５】
浴室の壁面には給湯装置の作動を制御するリモコンが取り付けられており、浴室用テレビを後から取り付ける場合にはリモコンを避ける必要があるため、所定の取付位置から上下にずれた位置に取り付けざるを得ない場合が生じる。また、所定の位置に取り付けることができたとしても、鑑賞する入浴者の姿勢が変わることにより目の高さが上下する。
【０００６】
浴室用テレビ装置は壁面に固定するため、画面の仰角を自由に変更することができないので、液晶表示ユニットの正面から目が上下にずれた位置で画面を鑑賞すると、上述のように画面全体が白くなり、あるいは黒くなる場合が生じる。
【０００７】
このような場合には、画面設定で輝度を増減させたりガンマ補正をすることにより視野角補正をすれば画像は改善されるが、このような画面設定は通常頻繁に行う操作ではないため、階層の深い位置に設定されている場合が多く、使用者は画面設定操作が煩わしいばかりか、そのような画面設定ができることを知らない場合がある。そのため、上記のような、画面が白く、あるいは黒くなった場合にそのまま我慢してテレビ画像を鑑賞し続けることになる。
【０００８】
そこで本発明は、上記の問題点に鑑み、視野角補正を簡易に行うことのできる浴室用液晶テレビ装置を提供することを課題とする。
【課題を解決するための手段】
【０００９】
上記課題を解決するために本発明による浴室用液晶テレビ装置は、液晶表示部を備え、浴室の壁面に固定される浴室用液晶テレビであって、赤外線式のリモコンから照射される赤外線を受光する受光部を有するものにおいて、この受光部は正面からの赤外線を受光する受光素子と、下方から斜め方向に照射された赤外線を受光する受光素子と、上方から斜めに照射された赤外線を受光する受光部とを備え、各受光部での赤外線の受光状況から上記液晶表示部に対するリモコンの上下方向の相対位置を求め、その求められた相対位置に応じて液晶表示部の視野角補正を行うことを特徴とする。
【００１０】
リモコンを操作する際は、操作者の顔の位置とリモコンの位置との相対的な位置関係はほとんど変わらない。そこで、赤外線の入射角度がわかればテレビ装置に対する操作者の顔の上下方向の相対位置を知ることができる。顔の位置が上下にずれていれば、自動的に視野角補正を行うようにした。
【００１１】
なお、この場合、リモコン上の操作ボタンを押す度に操作者の顔の位置を知ることができるが、逆に何か操作をしなければ知ることができない。そこで、上記リモコンに、制御に関係ない信号が重畳された赤外線を照射するボタンが視野角補正専用のボタンとして設けておけば、テレビ画像を鑑賞している者が視野角補正の必要があると感じたときにその視野角補正専用のボタンを押す手動操作で視野角補正ができるようにすることが望まれる。
【発明の効果】
【００１２】
以上の説明から明らかなように、本発明は、浴室用液晶テレビ装置について視野角補正を自動的に、もしくは簡便な操作で行うことができるので、テレビ画像を快適に鑑賞することができる。
【図面の簡単な説明】
【００１３】
【図１】浴室用液晶テレビ装置の取り付け状態を示す図
【図２】浴室用液晶テレビ装置の正面図
【図３】受光部の詳細を示す断面図
【図４】受光センサからの信号の状態を示す図
【発明を実施するための形態】
【００１４】
１は本発明による浴室用液晶テレビ装置（以下、テレビ装置という）であり、浴室の壁面ＢＷに固定されている。ＲＣは給湯装置のリモコンで有り、通常はテレビ装置１の上下位置に固定されている。このテレビ装置１の画像を鑑賞する際には浴槽ＢＴ内に入浴している姿勢で鑑賞する場合が多い。なお、図１には示していない赤外線のリモコンが有り、テレビ装置１の通常の操作はそのリモコンによって行う。
【００１５】
図２を参照して、テレビ装置１には液晶表示ユニットによる表示部１１が正面中央に設けられており、上記リモコンから照射された赤外線を受光する受光部２が表示部１１の上部に設けられている。
【００１６】
上記リモコンには多数の操作ボタンが設けられており、各ボタンが押されると、各ボタンに割り付けられた制御内容に対応した信号が重畳された赤外線が照射される。なお、図示しないがリモコンには視野角補正専用のボタンが設けられており、その補正用のボタンを押すと、制御には関係のない信号が重畳された赤外線が照射される。従って、この補正用のボタンを押してもテレビ装置１の作動状態が変化することはない。テレビ装置１側にはその赤外線を受光して赤外線に重畳されている信号を分離して出力する受光部が設けられている。
【００１７】
図３を参照して、受光部２には赤外線を透過するレンズ２１が嵌め込まれており、そのレンズ２１の後方には上下方向に並んだ３つの受光素子（フォトトランジスタ）３１，３２，３３が設けられている。そして各受光素子からの出力信号は制御ユニットのポートＰ１、Ｐ２、Ｐ３の各々に入力される。上記リモコンから照射された赤外線が正面からレンズ２１に受光されると、その赤外線は中央の受光素子３２に入射され、ポートＰ２に信号が入力される。一方、下方から赤外線がレンズ２１に受光されると、その赤外線は上部の受光素子３１に受光され、ポートＰ１に信号が入力される。他方、上方から赤外線がレンズ２１に受光されると、その赤外線は下部の受光素子３３に受光され、ポートＰ３に信号が入力される。各ポートＰ１、Ｐ２、Ｐ３への信号の入力状態からリモコンの相対位置を知ることができる。
【００１８】
図４を参照して、リモコン５の相対位置が上下方向に変化する場合は、リモコン５自体の位置が上下方向に変位する場合と、テレビ装置１の取付位置が上下方向に変位している場合とがある。いずれにせよ、上記各ポートＰ１、Ｐ２、Ｐ３への信号の入力状態からリモコン５の位置を上下方向に５段階で検知することができる。例えば表示部１１に使用されている液晶表示ユニット１１が下方から観た場合黒くなるものであれば、リモコン５の位置が下方に位置していると判断した場合、自動的に画面全体を白くする視野角補正を行う。逆にリモコン５が上方に位置していると判断した場合には自動的に画面全体を黒くする視野角補正を行う。
【００１９】
リモコン５のいずれかのボタンが押されると赤外線が受光されるので、赤外線が受光される毎にこのような視野角補正を行うことが可能であるが、このように自動的に視野角方正を行うほかに、手動で視野角補正を行う場合には、上記の視野角補正専用のボタンを押せばよい。テレビ装置１側では、その場合でも赤外線を受光するので視野角補正が行われるが、補正用のボタンを押すことにより赤外線に重畳される信号はテレビ装置１の操作に関係しない信号であるので、補正用のボタンを押してもテレビ装置１の動作が変化することはない。
【００２０】
なお、本発明は上記した形態に限定されるものではなく、本発明の要旨を逸脱しない範囲内において種々の変更を加えてもかまわない。
【符号の説明】
【００２１】
１  テレビ装置
２  受光部
３１  受光素子
３２  受光素子
３３  受光素子
５  リモコン
【図１】
2014093708.tif 000003
【図２】
2014093708.tif 000004
【図３】
2014093708.tif 000005
【図４】
2014093708.tif 000006